(57)【要約】【課題】絶縁カバーの装着性を向上すること。【解決手段】製造装置５０は装着用治具５１を用いて絶縁カバー３５を導電部材２８に装着する。絶縁カバー３５は、タブ群２７とケース部材１３との間に介在するタブ絶縁部３６と、蓋部材１４と電極接合部２８ａの間に介在する第１板部３７と、端子接合部と電極組立体１２との間に介在する第２板部３８と、を有する。導電部材２８に装着される前の絶縁カバー３５において、第１板部３７の先端部３７ｃは、突出方向先端側ほど第２板部３８から離間する形状である。装着用治具５１は、第２板部３８が載置される載置部５２と、載置部５２と対向して位置するガイド部５３と、を有する。ガイド部５３は、載置部５２側に、積層方向Ｘの一端５３ａから他端５３ｂに向けて載置部５２に近づく形状のガイド面５３ｓを有する。【選択図】図６
2020047502.tif 000002
【特許請求の範囲】
【請求項１】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を有するとともに、同じ極性の前記電極端子と接合された端子接合部を備える各極の導電部材と、
前記タブ群と前記ケース部材とを絶縁する絶縁カバーと、
を備える蓄電装置を、装着用治具を用いて前記絶縁カバーを前記導電部材に装着することにより製造する製造装置であって、
前記絶縁カバーは、前記電極組立体における前記電極の積層方向一端側において前記タブ群と前記ケース部材との間に介在する板状のタブ絶縁部と、
前記積層方向に沿って前記タブ絶縁部から突出し、前記蓋部材と前記電極接合部の間に介在する第１板部と、
前記第１板部よりも前記電極組立体寄りに位置し、前記積層方向に沿って前記タブ絶縁部から突出し、前記端子接合部と前記電極組立体との間に介在する第２板部と、を有し、
前記導電部材に対して前記絶縁カバーが装着される前の状態において、前記第１板部の前記タブ絶縁部からの突出方向における先端部は、前記タブ絶縁部からの突出方向先端側ほど前記第２板部から離間する形状であり、
前記装着用治具は、前記積層方向において前記電極組立体と隣接するとともに前記第２板部が載置される載置部と、前記積層方向において前記蓋部材と隣接するとともに前記載置部と対向して位置するガイド部と、を有し、
前記ガイド部は、前記載置部側に、前記積層方向の一端から他端に向けて前記載置部に近づく形状のガイド面を有し、
前記ガイド面には前記第１板部の前記先端部が接触することを特徴とする蓄電装置の製造装置。
【請求項２】
前記ガイド部の前記積層方向の他端と前記蓋部材とが接触する請求項１に記載の蓄電装置の製造装置。
【請求項３】
前記ガイド部は前記積層方向に沿って進退可能である請求項２に記載の蓄電装置の製造装置。
【請求項４】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を有するとともに、同じ極性の前記電極端子と接合された端子接合部を備える各極の導電部材と、
前記タブ群と前記ケース部材とを絶縁する絶縁カバーと、を備える蓄電装置を、装着用治具を用いて前記絶縁カバーを前記導電部材に装着することにより製造する製造方法であって、
前記絶縁カバーは、前記電極組立体における前記電極の積層方向一端側において前記タブ群と前記ケース部材との間に介在する板状のタブ絶縁部と、
前記積層方向に沿って前記タブ絶縁部から突出し、前記蓋部材と前記電極接合部の間に介在する第１板部と、
前記第１板部よりも前記電極組立体寄りに位置し、前記積層方向に沿って前記タブ絶縁部から突出し、前記端子接合部と前記電極組立体との間に介在する第２板部と、を有し、
前記導電部材に対して前記絶縁カバーが装着される前の状態において、前記第１板部の前記タブ絶縁部からの突出方向における先端部は、前記タブ絶縁部からの突出方向先端側ほど前記第２板部から離間する形状であり、
前記装着用治具は、前記積層方向において前記電極組立体と隣接するとともに前記第２板部が載置される載置部と、前記積層方向において前記蓋部材と隣接するとともに前記載置部と対向して位置するガイド部と、を有し、
前記ガイド部は、前記載置部側に、前記積層方向の一端から他端に向けて前記載置部に近づく形状のガイド面を有し、
前記第２板部を前記載置部に載置させ、前記絶縁カバーを前記積層方向他端側に移動させて前記ガイド面に前記第１板部の前記先端部を接触させることにより、前記第１板部の前記先端部を前記第２板部に接近させるとともに前記絶縁カバーを前記導電部材に装着することを特徴とする蓄電装置の製造方法。
【発明の詳細な説明】
【技術分野】
【０００１】
本発明は、タブ群とケース部材とを絶縁する絶縁カバーを備える蓄電装置の製造装置及び蓄電装置の製造方法に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備える。なお、電極端子は、蓋部材に固定されている。二次電池は、電極端子と電極組立体のタブ群とを接続する導電部材を備えている。
【０００４】
上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。特許文献１において、二次電池が備える絶縁カバーは、蓋部材と導電部材との間を絶縁する第１絶縁部と、電極端子と電極組立体との間を絶縁する第２絶縁部とを備える。そして、上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。
【先行技術文献】
【特許文献】
【０００５】
【特許文献１】特開２０１７−１１７６６７号公報
【発明の概要】
【発明が解決しようとする課題】
【０００６】
ところで、第１絶縁部の先端が導電部材と蓋部材との間の隙間に差し込みにくく、絶縁カバーの装着が行いにくい。
本発明の目的は、絶縁カバーの装着性を向上できる蓄電装置の製造装置及び蓄電装置の製造方法を提供することにある。
【課題を解決するための手段】
【０００７】
上記課題を解決する製造装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を有するとともに、同じ極性の前記電極端子と接合された端子接合部を備える各極の導電部材と、前記タブ群と前記ケース部材とを絶縁する絶縁カバーと、を備える蓄電装置を、装着用治具を用いて前記絶縁カバーを前記導電部材に装着することにより製造する製造装置であって、前記絶縁カバーは、前記電極組立体における前記電極の積層方向一端側において前記タブ群と前記ケース部材との間に介在する板状のタブ絶縁部と、前記積層方向に沿って前記タブ絶縁部から突出し、前記蓋部材と前記電極接合部の間に介在する第１板部と、前記第１板部よりも前記電極組立体寄りに位置し、前記積層方向に沿って前記タブ絶縁部から突出し、前記端子接合部と前記電極組立体との間に介在する第２板部と、を有し、第２板部と、を有し、前記導電部材に対して前記絶縁カバーが装着される前の状態において、前記第１板部の前記タブ絶縁部からの突出方向における先端部は、前記タブ絶縁部からの突出方向先端側ほど前記第２板部から離間する形状であり、前記装着用治具は、前記積層方向において前記電極組立体と隣接するとともに前記第２板部が載置される載置部と、前記積層方向において前記蓋部材と隣接するとともに前記載置部と対向して位置するガイド部と、を有し、前記ガイド部は、前記載置部側に、前記積層方向の一端から他端に向けて前記載置部に近づく形状のガイド面を有し、前記ガイド面には前記第１板部の前記先端部が接触することを特徴とする。
【０００８】
また、上記課題を解決する製造方法は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を有するとともに、同じ極性の前記電極端子と接合された端子接合部を備える各極の導電部材と、前記タブ群と前記ケース部材とを絶縁する絶縁カバーと、を備える蓄電装置を、装着用治具を用いて前記絶縁カバーを前記導電部材に装着することにより製造する製造方法であって、前記絶縁カバーは、前記電極組立体における前記電極の積層方向一端側において前記タブ群と前記ケース部材との間に介在する板状のタブ絶縁部と、前記積層方向に沿って前記タブ絶縁部から突出し、前記蓋部材と前記電極接合部の間に介在する第１板部と、前記第１板部よりも前記電極組立体寄りに位置し、前記積層方向に沿って前記タブ絶縁部から突出し、前記端子接合部と前記電極組立体との間に介在する第２板部と、を有し、前記導電部材に対して前記絶縁カバーが装着される前の状態において、前記第１板部の前記タブ絶縁部からの突出方向における先端部は、前記タブ絶縁部からの突出方向先端側ほど前記第２板部から離間する形状であり、前記装着用治具は、前記積層方向において前記電極組立体と隣接するとともに前記第２板部が載置される載置部と、前記積層方向において前記蓋部材と隣接するとともに前記載置部と対向して位置するガイド部と、を有し、前記ガイド部は、前記載置部側に、前記積層方向の一端から他端に向けて前記載置部に近づく形状のガイド面を有し、前記第２板部を前記載置部に載置させ、前記絶縁カバーを前記積層方向他端側に移動させて前記ガイド面に前記第１板部の前記先端部を接触させることにより、前記第１板部の前記先端部を前記第２板部に接近させるとともに前記絶縁カバーを前記導電部材に装着することを特徴とする。
【０００９】
上記の各構成によれば、絶縁カバーのタブ絶縁部からの突出方向先端側の第１板部の先端部が突出方向先端側ほど第２板部から離間する形状である場合、絶縁カバーを積層方向一端側から他端側に移動させる際に、ガイド部のガイド面によって第１板部の先端部を載置部側に位置する電極組立体に近付く方向へ変形するようにガイドできる。したがって、第１板部を、電極接合部と蓋部材との間に入り込ませることができ、絶縁カバーの装着性を向上できる。
【００１０】
蓄電装置の製造装置について、前記ガイド部の前記積層方向の他端と前記蓋部材とが接触することが好ましい。
上記構成によれば、積層方向においてガイド部と蓋部材との間に間隙がない状態で絶縁カバーの移動を行うことができる。絶縁カバーを導電部材に装着する際には、第１板部の先端部のうち、積層方向一端側の部分がガイド部に沿いながら、積層方向他端側の部分が蓋部材に沿って移動することとなる。したがって、第１板部の先端部の電極組立体に近付く方向への変形をより維持できるため、電極接合部と蓋部材との間に第１板部をさらに入り込ませやすくなり、絶縁カバーの装着性をさらに向上できる。
【００１１】
蓄電装置の製造装置について、前記ガイド部は前記積層方向に沿って進退可能であることが好ましい。
蓄電装置の製造においては、蓋部材に電極端子を固定するとともに、電極端子とタブ群に導電部材を接合し、電極組立体、蓋部材、電極端子、導電部材、及びタブ群を組立部材として一体化する。そして、この一体化された電極組立体がケース部材の開口部からケース部材の内部に収容される。こうした電極組立体のケース部材の内部への収容後に、導電部材への絶縁カバーの装着を行う場合がある。この場合、仮に蓋部材やケース部材にガイド部が近接した状態となっていると、電極組立体のケース部材の内部への収容の際に、電極組立体がガイド部に当接して電極組立体の変形が生じるおそれがある。
【００１２】
上記構成によれば、電極組立体のケース部材の内部への収容の際に、ガイド部を積層方向一端側に移動させることにより、電極組立体のケース部材の内部への収容の際に、電極組立体がガイド部に当接することが抑制される。また、電極組立体のケース部材の内部への収容後には、ガイド部を積層方向他端側に移動させることにより、ガイド部の積層方向の他端と蓋部材とを接触させることができる。そして、こうして接触させた状態で導電部材への絶縁カバーの装着を行うことができる。
【発明の効果】
【００１３】
この発明によれば、絶縁カバーの装着性を向上できる。
【図面の簡単な説明】
【００１４】
【図１】二次電池を示す分解斜視図。
【図２】二次電池を示す部分断面図。
【図３】二次電池を示す部分断面図。
【図４】内側絶縁部材及び導電部材を示す部分斜視図。
【図５】ケース部材内に電極組立体を挿入する様子を示す図。
【図６】（ａ）は絶縁カバーを蓋端子組立体に装着する状態を示す断面図であって載置部に絶縁カバーを載置させた状態を示す図、（ｂ）は絶縁カバーを蓋端子組立体に装着する状態を示す断面図であってガイド部のガイド面に第１板部の先端部が当接した状態を示す図。
【発明を実施するための形態】
【００１５】
以下、蓄電装置の製造装置及び製造方法を二次電池の製造装置及び製造方法に具体化した一実施形態について図１〜図６を用いて説明する。
図１又は図２に示すように、蓄電装置としての二次電池１０はケース１１を備え、ケース１１には電極組立体１２が収容されている。ケース１１は、電極組立体１２を収容する四角箱状のケース部材１３と、このケース部材１３の開口部１３ａを閉塞する矩形平板状の蓋部材１４とを有している。なお、本実施形態の二次電池１０はリチウムイオン電池である。蓋部材１４は、ケース部材１３の開口部１３ａの周縁に支持される矩形平板状の天板１４ａと、天板１４ａからケース部材１３に向けて突出する矩形状の嵌合部１４ｂとを有する。嵌合部１４ｂは、ケース部材１３の開口部１３ａに嵌合される。そして、天板１４ａの周縁とケース部材１３における開口部１３ａの周縁とが溶接されてケース部材１３と蓋部材１４が一体化されている。
【００１６】
図２に示すように、電極組立体１２は、シート状の複数の正極電極２１とシート状の複数の負極電極２２とを備え、正極電極２１と負極電極２２とは異なる極性の電極である。正極電極２１は、アルミニウム箔等からなる正極金属箔と、その正極金属箔の両面に存在する正極活物質層とを有する。負極電極２２は、銅箔等からなる負極金属箔と、その負極金属箔の両面に存在する負極活物質層とを有する。そして、電極組立体１２においては、複数の正極電極２１と複数の負極電極２２の間にこれらを絶縁するセパレータ２３が介在されている。正極電極２１、負極電極２２、及びセパレータ２３が積層されることにより、電極組立体１２は積層型となっている。正極電極２１と負極電極２２が積層された方向を電極組立体１２の積層方向（以下、単に積層方向Ｘという）とする。
【００１７】
図２又は図３に示すように、正極電極２１は、正極電極２１の一辺２１ａの一部から突出した形状の正極のタブ２５を有する。負極電極２２は、負極電極２２の一辺２２ａの一部から突出した形状の負極のタブ２６を有する。複数の正極のタブ２５と複数の負極のタブ２６とは、正極電極２１及び負極電極２２が積層された状態で、正極のタブ２５と負極のタブ２６とが重ならない位置にそれぞれ設けられている。
【００１８】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。各正極電極２１は、それぞれの正極のタブ２５が積層方向Ｘに沿って列状に配置されるように積層される。同様に、各負極電極２２は、それぞれの負極のタブ２６が積層方向に沿って列状に配置されるように積層される。
【００１９】
図１に示すように、電極組立体１２のタブ側端面１２ａからは、全ての正極のタブ２５を積層方向Ｘに積層して構成された正極のタブ群２７が突出している。また、電極組立体１２のタブ側端面１２ａからは、全ての負極のタブ２６を積層して構成された負極のタブ群２７が突出している。各極のタブ群２７は、積層方向Ｘの一端側に各タブ２５，２６の先端が位置するように折り曲げられている。そして、電極組立体１２は、絶縁フィルムＦによって覆われている。
【００２０】
図３に示すように、正極のタブ群２７には、電極組立体１２と、後述の正極端子構造１５とを電気的に接続するための導電部材２８が接合されている。また、負極のタブ群２７には、電極組立体１２と、後述の負極端子構造１６とを電気的に接続するための導電部材２８が接合されている。各導電部材２８は、蓋部材１４の内面１４ｉと、タブ群２７が存在する電極組立体１２のタブ側端面１２ａとの間に配置されている。
【００２１】
図３又は図４に示すように、正極及び負極の導電部材２８は、蓋部材１４の長手方向へ長手が延びるクランク状である。また、正極及び負極の導電部材２８の短手は積層方向Ｘへ延びる。正極及び負極の導電部材２８は、同じ極性のタブ群２７と接合された平板状の電極接合部２８ａを長手方向一端側に備える。また、正極及び負極の導電部材２８は、同じ極性の電極端子２９と接続される平板状の端子接合部２８ｂを長手方向他端側に備えるとともに、電極接合部２８ａと端子接合部２８ｂを接続する接続部２８ｃを備える。接続部２８ｃにより、端子接合部２８ｂは、電極接合部２８ａよりも電極組立体１２寄りに位置している。導電部材２８の短手方向に沿った電極接合部２８ａ、端子接合部２８ｂ、及び接続部２８ｃの寸法はいずれも同じである。
【００２２】
次に、正極端子構造１５及び負極端子構造１６を説明する。なお、正極端子構造１５と負極端子構造１６は基本的に同じ構成であるため、共通の部材については、同じ部材番号を使用して説明する。
【００２３】
図１又は図３に示すように、正極端子構造１５及び負極端子構造１６は、それぞれ蓋部材１４に固定された電極端子２９を備える。電極端子２９は、各極性において導電部材２８の端子接合部２８ｂと電気的に接続され、電極組立体１２と電気を授受する。電極端子２９は、蓋部材１４より外側に突出している。正極端子構造１５及び負極端子構造１６は、蓋部材１４の外側で電極端子２９と電気的に接続された端子接合部材３０を備える。また、正極端子構造１５及び負極端子構造１６は、蓋部材１４の外側で、端子接合部材３０と電気的に接続された外部接続端子３１を備える。正極端子構造１５及び負極端子構造１６は、端子接合部材３０及び外部接続端子３１を蓋部材１４から絶縁する外側絶縁部材３２を蓋部材１４の外面１４ｔに備える。
【００２４】
図２及び図４に示すように、正極端子構造１５及び負極端子構造１６は、ケース１１の内側で電極端子２９及び端子接合部２８ｂを蓋部材１４から絶縁する絶縁部材としての内側絶縁部材３３を備える。内側絶縁部材３３は矩形板状である。また、内側絶縁部材３３は、電極組立体１２のタブ側端面１２ａから蓋部材１４に向けて凹む収容凹部３４を備える。収容凹部３４は、内側絶縁部材３３の四側面のうち、電極接合部２８ａ寄りの側面にて開口している。そして、収容凹部３４に端子接合部２８ｂのほぼ全体が収容され、内側絶縁部材３３におけるタブ側端面１２ａ寄りの端面３３ａと、端子接合部２８ｂにおけるタブ側端面１２ａ寄りの端面とが面一になっている。また、端子接合部２８ｂの一部、接続部２８ｃ、及び電極接合部２８ａが内側絶縁部材３３における端子接合部２８ｂ寄りの側面から突出している。
【００２５】
次に、ケース１１内に設けられた樹脂製の絶縁カバー３５について説明する。
図１及び図２に示すように、絶縁カバー３５は、正極及び負極の導電部材２８に対し、積層方向Ｘの一端側から装着されている。絶縁カバー３５は、矩形板状のタブ絶縁部３６を備える。タブ絶縁部３６は、積層方向Ｘの一端側に位置する両極のタブ群２７の先端側を積層方向Ｘの外側から覆っている。タブ絶縁部３６は、積層方向Ｘの一端側において、両極のタブ群２７の先端側とケース部材１３との間に介在する。よって、絶縁カバー３５は、積層方向Ｘの一端側において両極のタブ群２７の先端側とケース部材１３とを絶縁する。
【００２６】
絶縁カバー３５は、蓋部材１４の長手方向に延びるタブ絶縁部３６の一対の長縁部のうち、蓋部材１４寄りの長縁部から積層方向Ｘに沿ってタブ絶縁部３６から突出した板状の第１板部３７を備える。第１板部３７は、両極の導電部材２８の電極接合部２８ａと蓋部材１４の内面１４ｉとの間に介在し、両者を絶縁する。絶縁カバー３５の第１板部３７は、両極の電極接合部２８ａに支持されている。
【００２７】
図１に示すように、第１板部３７は、タブ絶縁部３６からの突出方向における先端側に先端部３７ｃを備えている。先端部３７ｃは、タブ絶縁部３６からの突出方向において、タブ絶縁部３６側の端部である第１端部３７ｄと、第１端部３７ｄとは反対側の端部である第２端部３７ｅと、を備えている。第１端部３７ｄは積層方向Ｘにおける第１板部３７の中間位置よりも他端側に位置し、第２端部３７ｅは積層方向Ｘにおける第１板部３７の他端に位置する。正極及び負極の導電部材２８に対して絶縁カバー３５が装着される前の状態においては、タブ絶縁部３６の短手方向で第２端部３７ｅがタブ絶縁部３６から離間した位置となるように、第１板部３７の先端部３７ｃが傾斜している。なお、先端部３７ｃは、第１板部３７におけるタブ絶縁部３６との接続部分と先端部３７ｃとの間の部分の延びる面に対して上方に傾斜するように、予め形成されている。上方に傾斜する角度は、タブ絶縁部３６に沿った方向における第２板部３８から第１端部３７ｄまでの長さと第２板部３８から第２端部３７ｅまでの長さとの差が、後述する係止爪４０の第２板部３８の第１面３８ａから第１板部３７に向けて突出する方向の長さを超えない角度に設定され、例えば５度である。
【００２８】
図２に示すように、正極及び負極の導電部材２８に対して絶縁カバー３５が装着された状態では、蓋部材１４の内面１４ｉへの接触により、第１板部３７の先端部３７ｃの傾斜がなくなり、先端部３７ｃを含む第１板部３７の短手方向の全体が積層方向Ｘに沿った形状となる。そして、先端部３７ｃを含む第１板部３７の全体において、一方端面である第１面３７ａが蓋部材１４の内面１４ｉに対向し、第１面３７ａの裏面である第２面３７ｂが導電部材２８の電極接合部２８ａに対向する。
【００２９】
図１に示すように、絶縁カバー３５は、蓋部材１４の長手方向に延びるタブ絶縁部３６の一対の長縁部のうち、電極組立体１２寄りの他方の長縁部の両端部から積層方向Ｘに沿ってタブ絶縁部３６から突出した一対の第２板部３８を備える。各第２板部３８は、第１板部３７よりも電極組立体１２寄りに位置する。図３に示すように、一方の第２板部３８は、正極端子構造１５における端子接合部２８ｂと、電極組立体１２のタブ側端面１２ａとの間に介在し、端子接合部２８ｂの一部を電極組立体１２側から覆う。他方の第２板部３８は、負極端子構造１６における端子接合部２８ｂと、電極組立体１２のタブ側端面１２ａとの間に介在し、端子接合部２８ｂの一部を電極組立体１２側から覆う。そして、正極及び負極の導電部材２８に対して絶縁カバー３５が装着される前の状態においては、第１板部３７の先端部３７ｃは、タブ絶縁部３６からの突出方向先端側ほど第２板部３８から離間するように上り傾斜した形状となっている。
【００３０】
図２に示すように、第２板部３８は、蓋部材１４側の面であって端子接合部２８ｂに対向する平坦面である第１面３８ａと、第１面３８ａと平行な電極組立体１２側の面である第２面３８ｂと、を備える。なお、第１板部３７及び第２板部３８の突出方向（積層方向Ｘ）への長さは、ケース部材１３の短手方向に対向する内面間の距離Ｋによって決まる。これは、距離Ｋよりも第１板部３７及び第２板部３８が長くなると、絶縁カバー３５をケース部材１３内に収容できないためである。
【００３１】
絶縁カバー３５は、各第２板部３８におけるタブ絶縁部３６からの突出端に係止爪４０を備える。係止爪４０は、各第２板部３８の第１面３８ａから第１板部３７に向けて突出する。各係止爪４０は、第２板部３８におけるタブ絶縁部３６からの突出端からタブ絶縁部３６に向かうに従い第１板部３７（蓋部材１４）に近付くように上り傾斜する傾斜面４０ａを備える。
【００３２】
図３に示すように、一方の係止爪４０は、正極の導電部材２８の端子接合部２８ｂを絶縁した内側絶縁部材３３において、積層方向Ｘの他端に位置した側面に係止している。他方の係止爪４０は、負極の導電部材２８の端子接合部２８ｂを絶縁した内側絶縁部材３３において、積層方向Ｘの他端に位置した側面に係止している。各内側絶縁部材３３に対する係止爪４０の係止により、絶縁カバー３５が積層方向Ｘの一端側に移動することが規制されている。
【００３３】
次に、二次電池１０の製造装置５０について説明する。
図５に示すように、二次電池１０の製造装置５０は、絶縁カバー３５を導電部材２８に対して装着させるための装着用治具５１を備えている。装着用治具５１は、絶縁カバー３５の第２板部３８が載置される平坦な載置面５２ａを有する載置部５２と、載置部５２と対向して位置するガイド部５３を備えている。載置面５２ａは、載置部５２の上面に位置する。ガイド部５３は、積層方向Ｘの一端５３ａ側に向かうにつれてガイド部５３の図５における上下方向の厚みが徐々に薄くなるように傾斜するテーパ状となっている。ガイド部５３は、載置部５２側にガイド面５３ｓを有する。ガイド部５３は、積層方向Ｘの一端５３ａと他端５３ｂとの間に、ガイド部５３の載置部５２側の端面５３ｅとの境界部５３ｄを有する。ガイド面５３ｓは、ガイド部５３の積層方向Ｘの一端５３ａから境界部５３ｄに向けて載置部５２に近づくように下り傾斜した傾斜面状である。なお、上記一端５３ａがガイド面５３ｓの積層方向Ｘの一端に相当し、境界部５３ｄがガイド面５３ｓの積層方向Ｘの他端に相当する。そして、端面５３ｅは、積層方向Ｘの境界部５３ｄと他端５３ｂとの間で平坦に延びる。端面５３ｅは載置部５２の載置面５２ａと対向している。装着用治具５１において、載置部５２の載置面５２ａとガイド部５３の端面５３ｅとの間の距離を距離Ｌ２とする。絶縁カバー３５において、第１板部３７のうちでタブ絶縁部３６との接続部分と先端部３７ｃとの間の部分における第１面３７ａと第２板部３８の第２面３８ｂとの距離である距離Ｌ１（図２）と同程度の大きさとなるように、距離Ｌ２の大きさが設定されている。
【００３４】
積層方向Ｘの他端側の載置部５２の端部５２ｂとガイド部５３との間に側壁部５４が立設している。側壁部５４は、積層方向Ｘと直交する方向のうちで載置面５２ａが延びる方向（図５の紙面に対して直交する方向）において、載置部５２及びガイド部５３の両端部にのみ位置しており、載置部５２及びガイド部５３の中央部分には位置していない。上記積層方向Ｘと直交する方向のうちで載置面５２ａが延びる方向において、側壁部５４で挟まれた部分の距離Ｌ３（図示略）は、絶縁カバー３５の長手方向における全体の大きさＬ４（図４）より大きい大きさに設定されている。そして、積層方向Ｘの他端側においては、載置部５２、ガイド部５３、及び側壁部５４で囲まれて開口部５５が区画形成されている。
【００３５】
装着用治具５１は積層方向Ｘに進退可能となっている。図５に示すように、積層方向Ｘの一端側に装着用治具５１を移動させると、載置部５２の端部５２ｂがケース部材１３から離間するとともに、ガイド部５３の他端５３ｂが蓋部材１４から離間する。図６（ａ）に示すように、積層方向Ｘの他端側に装着用治具５１を移動させると、載置部５２の端部５２ｂがケース部材１３に接触するとともに、ガイド部５３の他端５３ｂが蓋部材１４に接触するようになる。これにより、載置部５２とケース部材１３との間に間隙が形成されなくなるとともに、ガイド部５３と蓋部材１４との間に間隙が形成されなくなる。なお、載置部５２の端部５２ｂがケース部材１３に接触した状態では、載置部５２の載置面５２ａがケース部材１３の開口端面と内側絶縁部材３３との間に位置している。ガイド部５３の他端５３ｂが蓋部材１４に接触した状態では、ガイド部５３の端面５３ｅが蓋部材１４の内面１４ｉと電極接合部２８ａとの間に位置している。
【００３６】
また、図６（ａ）に示すように、装着用治具５１は、載置部５２の載置面５２ａに載置された絶縁カバー３５を押圧する押圧治具５６を備えている。この押圧治具５６によってタブ絶縁部３６が積層方向Ｘの一端側から押圧されることにより、絶縁カバー３５は載置部５２の載置面５２ａに沿って移動する。
【００３７】
次に、装着用治具５１を用いて絶縁カバー３５を導電部材２８に装着して二次電池１０を製造する製造方法について、本実施形態の作用と合わせて説明する。
図１及び図５に示すように、絶縁カバー３５の導電部材２８への装着に際して、まず電極端子２９、端子接合部材３０、外部接続端子３１、外側絶縁部材３２、及び内側絶縁部材３３が蓋部材１４に組付けられることにより、正極端子構造１５及び負極端子構造１６が形成される。そして、これら正極端子構造１５及び負極端子構造１６が蓋部材１４と一体となって蓋端子組立体２０が形成される。そして、正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。すると、蓋端子組立体２０と電極組立体１２が一体化される。
【００３８】
そして、図５に示すように、積層方向Ｘの一端側に装着用治具５１を移動させた状態で、蓋端子組立体２０と一体化された電極組立体１２をケース部材１３の開口部１３ａからケース部材１３内に挿入する。このとき、載置部５２の端部５２ｂがケース部材１３から離間しているとともに、ガイド部５３の他端５３ｂが蓋部材１４から離間している。そして、蓋部材１４は、把持機構（図示略）によって、ケース部材１３の開口部１３ａから離間した位置で把持される。これにより、導電部材２８がケース部材１３の外部に露出した状態にされる。
【００３９】
ケース部材１３への電極組立体１２の挿入後、図６（ａ）に示すように、積層方向Ｘの他端側に装着用治具５１を移動させる。これにより、積層方向Ｘにおいて、ケース部材１３を介して電極組立体１２と載置部５２とが隣接するとともに、載置部５２の端部５２ｂがケース部材１３に接触するようになる。積層方向Ｘにおいて、蓋部材１４とガイド部５３とが隣接するとともに、ガイド部５３の他端５３ｂが蓋部材１４に接触するようになる。そして、絶縁カバー３５の第２板部３８を装着用治具５１の載置部５２の載置面５２ａに載置させることにより、蓋端子組立体２０の蓋部材１４と電極接合部２８ａとの間の部分と絶縁カバー３５の第１板部３７とが積層方向Ｘで対向するようになる。そして、載置部５２の載置面５２ａに載置された絶縁カバー３５を押圧治具５６によって蓋端子組立体２０に向けて積層方向Ｘに沿って押圧することにより、絶縁カバー３５を蓋端子組立体２０に向けて移動させる。
【００４０】
図６（ｂ）に示すように、絶縁カバー３５を積層方向Ｘの他端側に移動させると、第１板部３７の先端部３７ｃにおける第２端部３７ｅがガイド部５３のガイド面５３ｓに当接する。そして、ガイド部５３のガイド面５３ｓに対する第２端部３７ｅの当接箇所が積層方向Ｘの他端側に移動し、第２端部３７ｅが第２板部３８へと接近しながら、絶縁カバー３５の積層方向Ｘの他端側への移動が継続される。第２端部３７ｅがガイド部５３の境界部５３ｄにまで至ると、先端部３７ｃがガイド部５３の端面５３ｅに沿いながら絶縁カバー３５が移動するようになる。これにより、第１板部３７の先端部３７ｃの傾斜がなくなり、積層方向Ｘにおける第１板部３７の全体が、積層方向Ｘに沿って第２板部３８と平行となる。
【００４１】
さらに絶縁カバー３５の移動が進むと、第１板部３７の先端部３７ｃの当接箇所がガイド部５３の端面５３ｅから蓋部材１４の内面１４ｉに移る。このとき、蓋部材１４の天板１４ａとガイド部５３との間には間隙がないため、ガイド部５３から蓋部材１４へと第１板部３７の先端部３７ｃの当接箇所が移る際に、第１板部３７の先端部３７ｃが傾斜状態に戻りにくい。
【００４２】
そして、蓋部材１４と電極接合部２８ａとの間に第１板部３７を差し込む。その後、絶縁カバー３５を積層方向Ｘの他端側に移動させると、両方の電極接合部２８ａに第１板部３７が支持される。第１板部３７が電極接合部２８ａに支持された状態で、押圧治具５６により、絶縁カバー３５を積層方向Ｘの他端側に向けてさらに移動させる。そして、各係止爪４０の傾斜面４０ａが、内側絶縁部材３３における積層方向Ｘの一端縁に摺接しながら通過し、その後、係止爪４０が各極性の内側絶縁部材３３における積層方向Ｘの他端の側面に係止する。すると、絶縁カバー３５が積層方向一端側に移動することが規制され、蓋端子組立体２０から絶縁カバー３５が抜け出ることが規制される。その結果、絶縁カバー３５の第１板部３７が、電極接合部２８ａと蓋部材１４との間に介在した状態となる。
【００４３】
そして、蓋部材１４の嵌合部１４ｂがケース部材１３の開口部１３ａに嵌合される。天板１４ａの周縁とケース部材１３における開口部１３ａの周縁とが溶接されて、二次電池１０が組み立てられる。
【００４４】
上記実施形態によれば、以下のような効果を得ることができる。
（１）絶縁カバー３５を導電部材２８に装着するため、絶縁カバー３５を積層方向Ｘ一端側から他端側に移動させる際に、ガイド部５３のガイド面５３ｓによって第１板部３７の先端部３７ｃを電極組立体１２に近付く方向へ変形するようにガイドできる。したがって、第１板部３７を、電極接合部２８ａと蓋部材１４との間に入り込ませることができ、絶縁カバー３５の装着性を向上できる。
【００４５】
（２）ガイド部５３と蓋部材１４とが接触するため、積層方向Ｘにおいてガイド部５３と蓋部材１４との間に間隙がない状態で絶縁カバー３５の移動を行うことができる。絶縁カバー３５を導電部材２８に装着する際には、第１板部３７の先端部３７ｃのうち、積層方向Ｘ一端側の部分がガイド部５３に沿いながら、積層方向Ｘ他端側の部分が蓋部材１４に沿って移動することとなる。したがって、第１板部３７の先端部３７ｃの電極組立体１２に近付く方向への変形をより維持できるため、電極接合部２８ａと蓋部材１４との間に第１板部３７をさらに入り込ませやすくなり、絶縁カバー３５の装着性をさらに向上できる。
【００４６】
（３）電極組立体１２のケース部材１３の内部への収容の際に、ガイド部５３を積層方向Ｘ一端側に移動させることにより、電極組立体１２がガイド部５３に当接することが抑制される。また、電極組立体１２のケース部材１３の内部への収容後には、ガイド部５３を積層方向Ｘ他端側に移動させることにより、ガイド部５３の積層方向Ｘの他端５３ｂと蓋部材１４とを接触させることができる。そして、こうして接触させた状態で導電部材２８への絶縁カバー３５の装着を行うことができる。
【００４７】
なお、上記実施形態は、以下のように変更して実施することができる。上記実施形態及び以下の変更例は、技術的に矛盾しない範囲で互いに組み合わせて実施することができる。
【００４８】
○  装着用治具５１の側壁部５４を省略し、載置部５２とガイド部５３とが別体であってもよい。
○ガイド部５３のみが積層方向Ｘに進退可能であってもよい。また、載置部５２及びガイド部５３の両方とも積層方向Ｘに進退しない構成であってもよい。
【００４９】
○  導電部材２８への絶縁カバー３５の装着を、電極組立体１２をケース部材１３内に挿入する前に行ってもよい。
○  ケース部材１３と載置部５２との隣接は、積層方向Ｘにおいてケース部材１３と載置部５２とが接触しない状態を含み、ケース部材１３と載置部５２とが接触しない状態で、載置部５２に絶縁カバー３５を載置させて、導電部材２８への絶縁カバー３５の装着を行ってもよい。
【００５０】
○  蓋部材１４とガイド部５３との隣接は、積層方向Ｘにおいて蓋部材１４とガイド部５３とが接触しない状態を含み、蓋部材１４とガイド部５３とが接触しない状態で、載置部５２に絶縁カバー３５を載置させて、導電部材２８への絶縁カバー３５の装着を行ってもよい。この形態では、絶縁カバー３５を積層方向Ｘ他端側に移動させて第１板部３７の当接箇所がガイド部５３から蓋部材１４に移る際に、蓋部材１４とガイド部５３との間で第１板部３７の先端部３７ｃの傾斜が戻らないように、蓋部材１４とガイド部５３との間隙を積層方向Ｘにおける先端部３７ｃの寸法より小さくする。
【００５１】
○  ガイド部５３の載置部５２側の全体をガイド面５３ｓとしてもよい。
○  ガイド部５３のガイド面５３ｓは円弧面であってもよい。
○  第１板部３７のうち、先端部３７ｃを含んだタブ絶縁部３６からの突出方向の全体を、タブ絶縁部３６からの突出方向先端側ほど第２板部３８から離間する形状としてもよい。
【００５２】
○  絶縁カバー３５は、製造誤差によって第１板部３７の先端部３７ｃがタブ絶縁部３６からの突出方向先端側ほど第２板部３８から離間する形状となったものでもよい。
○  二次電池１０は、電極組立体１２の積層方向Ｘの一端側に配置される絶縁カバー３５だけでなく、電極組立体１２の積層方向Ｘの他端側に配置される絶縁カバーを備えていてもよい。
【００５３】
○  正極電極２１及び負極電極２２は、金属箔の片面のみに活物質層を有する構造でもよい。
○  二次電池１０のケース１１は、蓋部材１４が円形状等である四角箱状以外の形状であってもよい。
【００５４】
○  蓄電装置は、二次電池でなく、キャパシタ等の他の蓄電装置に適用してもよい。
○  二次電池は、リチウムイオン電池であったが、これに限らず、他の二次電池であってもよい。
【符号の説明】
【００５５】
１０…二次電池、１１…ケース、１２…電極組立体、１３…ケース部材、１３ａ…開口部、１４…蓋部材、１４ｉ…内面、２５，２６…タブ、２７…タブ群、２８…導電部材、２８ａ…電極接合部、２８ｂ…端子接合部、２９…電極端子、３５…絶縁カバー、３６…タブ絶縁部、３７…第１板部、３７ｃ…先端部、３８…第２板部、５０…製造装置、５１…装着用治具、５２…載置部、５３…ガイド部、５３ｓ…ガイド面。
【図１】
2020047502.tif 000003
【図２】
2020047502.tif 000004
【図３】
2020047502.tif 000005
【図４】
2020047502.tif 000006
【図５】
2020047502.tif 000007
【図６】
2020047502.tif 000008